(57)【要約】【課題】長期間優れた使用性及び装着性を維持することができる義足を提供する。【解決手段】義足１０をなすソケット部１を、略同一寸法の二枚の固定用革（皮革素材）１１，１１を重ね合わせることで略円筒体状に構成し、当該略円筒体の円周面をなす二枚の固定用革１１，１１の間に、その軸方向に延伸するように複数本の板バネ１２を等間隔で挟持した状態で取り付けた構成とした。【選択図】  図１
0003129695.tif 000002
【実用新案登録請求の範囲】
【請求項１】
切断足の断端が収納される略円筒体状のソケット部と、当該ソケット部の収納端部とは反対側の端部に取り付けられる義足部と、を備えてなる義足において、
前記ソケット部をなす略円筒体は皮革素材で構成されてなり、当該略円筒体の円周面には、その軸方向に延伸するように一又は二以上の板バネが取り付けられていることを特徴とする義足。
【請求項２】
前記略円筒体の円周面には、その軸方向に延伸するように二以上の板バネが等間隔で取り付けられていることを特徴とする請求項１に記載の義足。
【請求項３】
前記板バネは、二枚の皮革素材で挟持された状態で取り付けられていることを特徴とする請求項１又は２に記載の義足。
【考案の詳細な説明】
【技術分野】
【０００１】
本考案は、義足に関し、特に、歩行を補助するために用いられる機能的義足のソケット部に関するものである。
【背景技術】
【０００２】
機能的義足は、切断足の断端を収納して、体重を支持しつつ断端の動きを義足に伝える略円筒体状のソケット部（下肢部）と、このソケット部における断端の収納端部とは反対側の端部に取り付けられる合成樹脂製の義足部と、を備えた構成となっている。ここで、ソケット部は、その装着性、使用性、及び耐久性等を考慮して、プラスチック等の合成樹脂で製造することが一般的である（例えば、特許文献１参照）。
【特許文献１】特開平８−８９５１９号公報
【考案の開示】
【考案が解決しようとする課題】
【０００３】
しかしながら、上述した特許文献１に記載の義足においては、切断足の断端を収納するソケット部が、硬くて弾性の小さなプラスチック等の合成樹脂で製造されているため、装着時に足の筋肉がほとんど使用されず、使用に伴って義足装着側の切断足が痩せてしまうという不具合があった。ここで、切断足が痩せてしまうと、歩行が困難になるばかりでなく、断端とソケット部との間に隙間が生じて、優れた装着性を維持できなくなるとともに、義足装着時に断端とソケット部とが擦れて断端に損傷が生じたりする等、優れた使用性が維持できなくなる。
【０００４】
このため、切断足が瘠せてしまった場合には、切断足の断端にストッキング等の被覆部材を被せて、切断足の太さを調節することが一般的に行われているが、切断足が瘠せすぎるとこの被覆部材だけでは対応できなくなるため、優れた使用性及び装着性を長期間維持することが困難であった。
【０００５】
また、上述した特許文献１に記載の義足においては、切断足の断端を収納するソケット部が、通気性の良好ではないプラスチック等の合成樹脂で製造されているため、装着時にソケット部内がむれて、足の断端に汗疹が生じたり、ソケット部内に湿気や臭いがこもったりする等、優れた使用性を長期間維持することが困難であった。
【０００６】
そこで、本考案は、上記事情に鑑みてなされたものであり、優れた使用性及び装着性を長期間維持することができる義足を提供することを課題としている。
【課題を解決するための手段】
【０００７】
このような課題を解決するために、本考案は、切断足の断端が収納される略円筒体状のソケット部と、当該ソケット部の収納端部とは反対側の端部に取り付けられる義足部と、を備えてなる義足において、前記ソケット部をなす略円筒体は皮革素材で構成されてなり、当該略円筒体の円周面には、その軸方向に延伸するように一又は二以上の板バネが取り付けられていることを特徴とする義足を提供する。
【０００８】
本考案に係る義足によれば、ソケット部をなす略円筒体を皮革素材で構成し、その略円筒体の円周面に、その軸方向に延伸するように一又は二以上の板バネを取り付けた構成としたことにより、ソケット部をなす略円筒体の軸方向（つまり、垂直方向）に対しては高強度で、且つ、ソケット部をなす略円筒体の直径方向（つまり、水平幅方向）に対しては板バネによる弾性力が付与されるため、義足としての耐久性を維持しつつ、装着時に足の筋肉が使用されるようになる。よって、義足の使用に伴って、義足装着側の切断足が痩せてしまうという不具合を解消することができるため、優れた使用性及び装着性を長期間維持することができる。
【０００９】
また、本考案に係る義足によれば、ソケット部をなす略円筒体を皮革素材で構成したことにより、上述した特許文献１に記載のようにプラスチック等の合成樹脂で構成した場合と比べて、通気性が良好になるため、装着時においてソケット部内がむれ難くなり、優れた使用性を長期間維持することができる。
【００１０】
ここで、本考案に係る義足においては、前記略円筒体の円周面に、その軸方向に延伸するように二以上の板バネが等間隔で取り付けられた構成としてもよい。この構成によれば、ソケット部をなす略円筒体の直径方向（つまり、水平幅方向）に対して板バネによる弾性力を均一に付与することができるため、装着時に足の筋肉をより均一に使用することができる。
【００１１】
また、本考案に係る義足において、前記板バネは、二枚の皮革素材で挟持された状態で取り付けられた構成としてもよい。この構成にすれば、皮革素材で構成された略円筒体の円周面に、板バネをより安全に、且つ、より安定して取り付けることができる。
【考案の効果】
【００１２】
本考案に係る義足によれば、義足の使用に伴う足瘠せやソケット部内のむれを抑制することができるため、優れた使用性及び装着性を長期間維持することができる。
【考案を実施するための最良の形態】
【００１３】
以下、本考案に係る実施形態について図面を参照しながら説明する。
【００１４】
図１は、本考案に係る義足の一例として、下肢義足を示し、（ａ）は斜視図、（ｂ）は図１（ａ）のＡ−Ａ断面図である。
【００１５】
この義足１０は、図１（ａ）に示すように、切断足の断端を収納する開口面１Ａを一端に有する円筒状のソケット部１と、当該ソケット部１の他端１Ｂに取り付けられる義足部２と、を備えている。
【００１６】
ソケット部１は、図１（ｂ）に示すように、略同一寸法の二枚の固定用革（皮革素材）１１，１１を重ね合わせて略円筒体を構成してなり、当該略円筒体の円周面をなす二枚の固定用革１１，１１の間に、その軸方向に延伸するように同一幅寸法の複数本の板バネ１２が等間隔で挟持された状態で取り付けられている。
【００１７】
ここで、板バネ１２は、その外周面に沿って二枚の固定用革１１，１１が糸等の縫合部材１３で縫い合わされていることにより、二枚の固定用皮１１，１１の間に挟持された状態で固定されている。
【００１８】
また、このソケット部１をなす略円筒体の最外周面には、人間の肌表面に近い色や感触の装飾用革（皮革素材）１４が貼着されている。
【００１９】
さらに、ソケット部１の開口面１Ａ近傍には、固定部材３Ａが設けられており、この固定部材３Ａには、切断足への取り付け用ベルト３に設けられた固定金具３１が固定されるようになっている。ここで、取り付け用ベルト３には、複数のベルト孔３２が開孔されており、取り付け位置や切断足の太さに応じて、長さが調整可能となっている。
さらに、ソケット部１の開口面１Ａ近傍の一部には、膝の形状に合わせた曲面が形成されている。
【００２０】
義足部２は、ソケット部１の開口面１Ａとは反対側の他端１Ｂに、ボルトネジ等の取り付け部材（図示せず）により着脱自在に固定されている。このため、必要に応じて、ソケット部１や義足部２を個別に修理・交換することができる。
【００２１】
すなわち、本実施形態における義足１０によれば、ソケット部１をなす略円筒体を固定用革１１と装飾用革１４との皮革素材で構成し、当該略円筒体の円周面に、その軸方向に延伸するように複数本の板バネ１２を取り付けた構成としたことにより、ソケット部１をなす略円筒体の軸方向に対しては高強度で、且つ、ソケット部１をなす略円筒体の直径方向に対しては板バネ１２による弾性力が付与されるため、義足１０としての耐久性を備えつつ、装着時に切断足の筋肉が使用されるようになる。よって、義足１０の使用に伴って、義足装着側の足が痩せてしまうという不具合を解消することができるため、優れた装着性及び使用性を長期間維持することができる。
【００２２】
また、本実施形態における義足１０によれば、ソケット部１をなす略円筒体を固定用革１１と装飾用革１４との皮革素材で構成したことにより、上述した特許文献１に記載のようにプラスチック等の合成樹脂で構成した場合と比べて、通気性が良好になる。よって、装着時においてソケット部１内がむれ難くなるため、優れた使用性を長期間維持することができる。
【００２３】
さらに、本実施形態における義足１０によれば、略円筒体の円周面に、その軸方向に延伸するように複数の板バネ１２を等間隔で取り付けたことにより、ソケット部１をなす略円筒体の直径方向に対して板バネ１２による弾性力を均一に付与することができるため、装着時に足の筋肉をより均一に使用することができる。よって、義足１０の使用に伴う義足装着側の足瘠せをさらに抑制できるため、優れた装着性及び使用性をより長期間維持することができる。
【００２４】
さらに、本実施形態における義足１０によれば、板バネ１２を、二枚の固定用革１１，１１で挟持した状態で取り付けたことにより、固定用革１１，１１で構成された略円筒体の円周面に、板バネ１２をより安全に、且つ、より安定して取り付けることができる。
【００２５】
さらに、本実施形態における義足１０によれば、ソケット部１をなす略円筒体の最外周面に装飾用表皮１４を貼着したことにより、外観をより人間の足に近づけることができる。
【００２６】
なお、本実施形態においては、略円筒体を、二枚の固定用革１１と一枚の装飾用革１４との合計３枚で構成したが、これに限らず、固定用革１１のみで構成してもよいし、一枚の固定用革１１と一枚又は二枚以上の装飾用革１４とで構成してもよいし、二枚以上の固定用革１１と二枚以上の装飾用革１４で構成してもよい。
【００２７】
また、本実施形態においては、二枚の固定用革１１を同一素材で構成したが、これに限らず、内側の固定用革１１と外側の固定用革１１とを異なる素材で構成してもよい。
さらに、本実施形態においては、二枚の固定用革１１，１１を糸等の縫合部材１３で縫い合わせることにより、略円筒体をなす円周面に板バネ１２を取り付ける構成としたが、これに限らず、例えば接着材等の接着手段により板バネ１２を取り付けてもよいし、圧着により板バネ１２を取り付けてもよい。
【００２８】
さらに、本実施形態においては、ソケット部１をなす略円筒体の円周面全体にわたって、複数本の板バネ１２を等間隔で取り付けた構成としたが、これに限らず、円周面全体にわたって、複数本の板バネ１２を不等間隔で取り付けてもよいし、円周面の一部に、一又は二以上の板バネ１２を等間隔又は不等間隔で取り付けてもよい。
【００２９】
さらに、本実施形態においては、ソケット部１をなす略円周体の円周面に取り付ける複数本の板バネ１２として、同一種類を用いたが、これに限らず、幅の異なる複数種類を用いてもよい。
【図面の簡単な説明】
【００３０】
【図１】本考案に係る義足の一例として、下肢義足を示し、（ａ）は斜視図、（ｂ）は図１（ａ）のＡ−Ａ断面図である。
【符号の説明】
【００３１】
１    ソケット部
２    義足部
３    取り付け用ベルト
１０    義足
１１    固定用革（皮革素材）
１２    板バネ
１３    縫合部材
１４    装飾用革（皮革素材）
【図１】
0003129695.tif 000003